(57)【要約】【課題】異形断面を有する長尺部材のねじれ方向、及びねじれ角をインラインで高精度に測定することができるねじれ検出方法、及びねじれ検出装置を提供する。【解決手段】異形断面形状を有する長尺部材のねじれ角及びねじれ方向を検出するねじれ検出方法である。周方向に沿って所定角度で離間した少なくとも二つ以上の位置からの長尺部材の夫々の投影線径を、少なくとも一つの軸方向任意位置において測定して、夫々の投影線径を測定する測定工程と、測定工程において測定した夫々の投影線径の実測値を、測定対象となる長尺部材の断面形状と同一の断面形状をなす断面モデルにおいて、周方向に沿って所定角度で離間した少なくとも二つ以上の夫々の位置からの投影線径から算出される断面モデルの相関関係と比較して、実測した長尺部材のねじれ角及びねじれ方向を求める割出工程とを備えた。【選択図】図１
2011007641.tif 000002
【特許請求の範囲】
【請求項１】
異形断面形状を有する長尺部材のねじれ角及びねじれ方向を検出するねじれ検出方法において、
周方向に沿って所定角度で離間した少なくとも二つ以上の位置からの長尺部材の夫々の投影線径を、少なくとも一つの軸方向任意位置において測定して、夫々の投影線径を測定する測定工程と、
前記測定工程において測定した夫々の投影線径の実測値を、測定対象となる長尺部材の断面形状と同一の断面形状をなす断面モデルにおいて、周方向に沿って所定角度で離間した少なくとも二つ以上の夫々の位置からの投影線径から算出される断面モデルの相関関係と比較して、実測した長尺部材のねじれ角及びねじれ方向を求める割出工程とを備えたことを特徴とするねじれ検出方法。
【請求項２】
前記長尺部材の断面モデルの軸方向と直交する第１の方向から前記長尺部材を平行投影した線径である第１の投影線径を、投影方向に対する長尺部材の位置を周方向に沿って相対的に変位させつつ周方向全周にわたって求め、
前記長尺部材の断面モデルの軸方向と直交し、かつ前記第１の方向と一定角度をなす第２の方向から前記長尺部材を平行投影した線径である第２の投影線径を、投影方向に対する長尺部材の位置を周方向に沿って相対的に変位させつつ周方向全周にわたって求め、
長尺部材の断面モデルの周方向位置における第１の投影線径と、これに対応する位置における第２の投影線径との対応関係を全周にわたって求め、この対応関係を、前記長尺部材の断面モデルにおける前記相関関係とすることを特徴とする請求項１のねじれ検出方法。
【請求項３】
前記所定角度は、前記長尺部材の断面モデルの前記相関関係を求める際に、この相関関係が閉ループを形成するような角度とすることを特徴とする請求項１又は請求項２のねじれ検出方法。
【請求項４】
前記割出工程は、測定した前記第１の投影線径と第２の投影線径との相関関係の前記閉ループ上の移動距離、及び移動方向を検出することにより、長尺部材のねじれ角及びねじれ方向を割り出すことを特徴とする請求項３のねじれ角検出方法。
【請求項５】
前記夫々の投影線径を、前記長尺部材の全長または特定範囲に対して連続的に測定することを特徴とする請求項１〜請求項４のいずれか１項のねじれ角検出方法。
【請求項６】
前記長尺部材を、ばね成形用の線材としたことを特徴とする請求項１〜請求項５のいずれか１項のねじれ角検出方法。
【請求項７】
異形断面形状を有する長尺部材のねじれ角及びねじれ方向を検出するねじれ検出装置において、
周方向に沿って所定角度で離間した位置からの長尺部材の夫々の投影線径を、少なくとも一つの軸方向任意位置において測定して、夫々の投影線径の変位を測定する第１線径測定手段及び第２線径測定手段と、
前記測定工程において測定した夫々の投影線径の実測値の変位を、測定対象となる長尺部材の断面形状と同一の断面形状をなす断面モデルにおける、周方向に沿って所定角度で離間した少なくとも二つ以上の位置からの夫々の投影線径から算出される相関関係と比較して、実測した長尺部材のねじれ角及びねじれ方向を求める割出手段とを備え、
前記長尺部材の軸方向と直交する方向のねじれ角及びねじれ方向を検出することを特徴とするねじれ検出装置。
【発明の詳細な説明】
【技術分野】
【０００１】
本発明は、ばね、リング、レール等に用いられ、異形断面を有する長尺部材のねじれ角検出方法及びねじれ角検出装置に関するものである。
【背景技術】
【０００２】
例えば、弁ばね用オイルテンパー線（ＯＴ線）には、その断面形状が真円形であるものの他、応力分散やばね高さを低減させる目的で、断面形状が真円形以外のものに設計された異形断面線（ＭＡ線）がある。ＭＡ線は、オイルテンパー処理（ＯＴ処理）中にねじれが発生することがある。ここで、ねじれとは、所定位置における線材の断面と、この位置とは異なる他の位置における線材の断面とを比較したときに、所定位置における断面に対して、他の位置における断面が傾いた状態をいう。ねじれ角が大きい場合や、線材の箇所によってねじれ度合いが相違するような場合（ばらつきが大きい場合）は、その後の成形品への寸法精度がばらつく等して、成形品の品質に大きく影響する。このため、成形品の品質向上や、歩留率の改善を目的に、ねじればらつきの低減や、ねじれ方向の管理の要求が増えており、線材のねじれ角、及びねじれ方向を予め正確に計測、管理する必要がある。
【０００３】
そこで、ＭＡ線のねじれ角を検出する装置が提案されている（特許文献１）。この特許文献１に記載の装置は、ＭＡ線の一端部を固定して、ＭＡ線の他端部をＶ字溝を有する支持台に載置して、その端面を表示する。そして、この一端部の端面に対する傾きを検出することにより、ＭＡ線の他端部が、一端部に対してどの程度傾いているかを検出することができる。この場合、ＭＡ線の両端末を、例えば２ｍずつ切断し、これらのねじれ角を検出することにより、ＭＡ線の両端末にどの程度ねじれが発生しているかを検出していた。
【０００４】
また、インラインで全長のねじればらつきの監視を行う方法もある。これは、ＭＡ線を一定の方向から投影して、その投影線径の変化を検出するものである。すなわち、ＭＡ線は長径（最大径）と短径（最小径）とを有しており、ＭＡ線が傾くと、投影線径が変化する。この投影線径の変化の有無を検出することで、ねじれのばらつきの有無を監視していた。
【先行技術文献】
【特許文献】
【０００５】
【特許文献１】特開平１−２２３３０６号公報
【発明の概要】
【発明が解決しようとする課題】
【０００６】
しかしながら、前記特許文献１に記載の装置では、ＭＡ線の両端末のねじれ角の測定だけでは、両端末以外の部位については測定することができず、ＭＡ線の全長にわたって、ねじれのばらつきを把握することができない。また、特許文献１の方法では、ＭＡ線の他端部と、支持台のＶ字溝との間に隙間が生じることにより誤差を誘発し、信頼性が劣り、線径等の条件が変化することにより測定精度が変化する。このため、特許文献１のものでは精度管理が十分でない問題がある。
【０００７】
また、ＭＡ線を一定の方向から投影して、その投影線径の変化を検出する方法では、インラインでの監視において、本来最も必要であるねじれの角度と方向を数値として実測することができず、あくまでも監視に留まっている。このため、製造時の段取り作業の調整に困難が生じるとともに、監視時の管理基準の不透明さを招いている。
【０００８】
このように、線材の全長にわたるねじれ方向、及びねじれ角の両方を正確に測定する技術は確立されていなかった。
【０００９】
本発明は、上記課題に鑑みて、異形断面を有する長尺部材のねじれ方向、及びねじれ角をインラインで高精度に測定することができるねじれ検出方法、及びねじれ検出装置を提供する。
【課題を解決するための手段】
【００１０】
本発明のねじれ検出方法は、異形断面形状を有する長尺部材のねじれ角及びねじれ方向を検出するねじれ検出方法において、周方向に沿って所定角度で離間した少なくとも二つ以上の位置からの長尺部材の夫々の投影線径を、少なくとも一つの軸方向任意位置において測定して、夫々の投影線径を測定する測定工程と、前記測定工程において測定した夫々の投影線径の実測値を、測定対象となる長尺部材の断面形状と同一の断面形状をなす断面モデルにおいて、周方向に沿って所定角度で離間した少なくとも二つ以上の夫々の位置からの投影線径から算出される断面モデルの相関関係と比較して、実測した長尺部材のねじれ角及びねじれ方向を求める割出工程とを備えたものである。ここで、異形断面形状とは真円形以外の形状を有するもので、長径、短径を有するものをいい、楕円、卵形、三角形、多角形の他、ランダムな形状のものであってもよい。また、投影線径とは、ある方向から長尺部材を平行投影したときの線径（ある方向における長尺部材の接線から、これに平行な接線までの幅寸法）をいう。
【００１１】
本発明のねじれ検出方法によれば、測定対象となる長尺部材の断面形状と同一の断面形状をなす断面モデルにおいて、長尺部材が相対的に回転する（ねじれる）と、投影線径は変化する。この変化を、周方向に沿って所定角度で離間した方向から、この所定角度を維持しつつ測定し、異なる方向からの投影線径の相関関係を予め求める。そして、断面モデルと同一の断面形状を有する長尺部材について、周方向に沿って所定角度で離間した位置からの夫々の投影線径を、少なくとも一つの軸方向任意位置において測定することにより、夫々の投影線径の変位を測定して、夫々の測定値の変位を前記相関関係と比較する。これにより、異形断面を有する長尺部材のねじれ角、及びねじれ方向を具体的な数値にて求めることができる。
【００１２】
前記長尺部材の軸方向と直交する第１の方向から前記長尺部材を平行投影した線径である第１の投影線径を、投影方向に対する長尺部材の位置を周方向に沿って相対的に変位させつつ周方向全周にわたって求め、前記長尺部材の軸方向と直交し、かつ前記第１の方向と一定角度をなす第２の方向から前記長尺部材を平行投影した線径である第２の投影線径を、投影方向に対する長尺部材の位置を周方向に沿って相対的に変位させつつ周方向全周にわたって求め、長尺部材の周方向位置における第１の投影線径と、これに対応する位置における第２の投影線径との対応関係を全周にわたって求め、この対応関係を、前記長尺部材の断面モデルにおける前記相関関係とすることができる。
【００１３】
前記所定角度は、前記長尺部材の断面モデルの前記相関関係を求める際に、この相関関係が閉ループを形成するような角度とすることができる。
【００１４】
前記割出工程は、測定した前記第１の投影線径と第２の投影線径との関係において、前記閉ループ上の移動距離、及び移動方向を検出することにより、長尺部材のねじれ角及びねじれ方向を割り出すものにできる。
【００１５】
前記夫々の投影線径を、前記長尺部材の全長または特定範囲に対して連続的に測定することができる。これにより、長尺部材の全長、または特定範囲についてねじれ角及びねじれ方向とを求めることができる。
【００１６】
前記長尺部材を、ばね成形用の線材とすることができる。これにより、ばね線材における基準（規格）に対するねじれのばらつきの合否を判定することができる。
【００１７】
本発明のねじれ検出装置は、異形断面形状を有する長尺部材のねじれ角及びねじれ方向を検出するねじれ検出装置において、周方向に沿って所定角度で離間した位置からの長尺部材の夫々の投影線径を、少なくとも一つの軸方向任意位置において測定して、夫々の投影線径の変位を測定する第１線径測定手段及び第２線径測定手段と、前記測定工程において測定した夫々の投影線径の実測値の変位を、測定対象となる長尺部材の断面形状と同一の断面形状をなす断面モデルにおける、周方向に沿って所定角度で離間した少なくとも二つ以上の位置からの夫々の投影線径から算出される相関関係と比較して、実測した長尺部材のねじれ角及びねじれ方向を求める割出手段とを備え、前記長尺部材の軸方向と直交する方向のねじれ角及びねじれ方向を検出することができる。
【発明の効果】
【００１８】
本発明のねじれ検出方法は、異形断面を有する長尺部材のねじれ角、及びねじれ方向を具体的な数値にて求めることができるため、長尺部材のねじれ角、及びねじれ方向をインラインで高精度に測定することができる。
【００１９】
長尺部材の周方向位置における第１の投影線径と、これに対応する位置における第２の投影線径との対応関係を全周にわたって求めることができるため、所定角度でずれた夫々の投影線径の相関関係を正確に求めることができる。これにより、一層高精度に長尺部材のねじれ角及びねじれ方向を求めることができる。
【００２０】
前記所定角度は、前記長尺部材の断面モデルの前記相関関係を求める際に、この相関関係が閉ループを形成するような角度とすると、ねじれ角とねじれ方向とを確実に求めることができる。
【００２１】
前記閉ループ上の移動距離、及び移動方向を検出することにより、長尺部材のねじれ角及びねじれ方向を割り出すと、ねじれ角及びねじれ方向を数値化することができて、正確にねじれ角とねじれ方向とを測定することができる。
【００２２】
前記夫々の投影線径を、前記長尺部材の全長または特定範囲に対して連続的に測定すると、長尺部材の全長にわたってねじれ角及びねじれ方向とを求めることができ、ねじれのばらつきを把握することができる。これにより、特定の箇所のねじれを検出することができ、高精度に長尺部材のねじれを検出することができる。
【００２３】
前記長尺部材を、ばね成形用の線材とすると、ばね成形において、基準（規格）に対するねじれのばらつきの合否を判定することができ、ばね成形したときに、ばねの高さのばらつきを抑えることができ、高品質なばねを安定して製造することができる。
【００２４】
本発明のねじれ検出装置は、異形断面を有する長尺部材のねじれ角、及びねじれ方向を具体的な数値にて求めることができるため、ねじれ角、及びねじれ方向を高精度に測定することができる。
【図面の簡単な説明】
【００２５】
【図１】本発明のねじれ測定装置の正面図である。
【図２】本発明のねじれ測定装置の側面図である。
【図３】本発明のねじれ測定装置の測定部の正面図である。
【図４】本発明のねじれ測定方法の投影線径の変化を示す図、及びグラフ図であり、（ａ）は第１の投影線径、（ｂ）は第２の投影線径である。
【図５】本発明のねじれ測定方法の第１の投影線径及び第１の投影線径と４５°をなす第２の投影線径とを合成したグラフ図である。
【図６】本発明のねじれ測定方法の第１の投影線径及び第１の投影線径と４５°をなす第２の投影線径との相関関係を示すグラフ図である。
【図７】本発明のねじれ測定方法の第１の投影線径及び第１の投影線径と９０°をなす第２の投影線径とを合成したグラフ図である。
【図８】本発明のねじれ測定方法の第１の投影線径及び第１の投影線径と９０°をなす第２の投影線径との相関関係を示すグラフ図である。
【発明を実施するための形態】
【００２６】
以下本発明の実施の形態を図１〜図８に基づいて説明する。
【００２７】
本発明のねじれ検出方法は、例えば、ばね、リング、レール等に用いられる長尺の異形断面形状を有する部材のねじれ角、及びねじれ方向を検出するものである。異形断面形状とは真円形以外の形状を有するもので、長径、短径を有するものをいい、楕円、卵形、三角形、多角形の他、ランダムな形状のものであってもよい。
【００２８】
本発明に係るねじれ検出装置は、図１及び図２に示すように、フレーム１と、被測定物である長尺部材Ｌの投影線径を測定する測定部２と、この測定部２を長尺部材Ｌの軸方向に沿って走行させる一対のリニアガイド３ａ、３ｂと、長尺部材Ｌをエアチャックにより固定するエアチャック部４と、長尺部材Ｌを回転させるサーボモータ５と、図示省略の割出手段とから構成されている。ここで、投影線径とは、ある方向から長尺部材Ｌを平行投影したときに求まる線径（ある方向における長尺部材の接線から、これに平行な接線までの幅寸法）をいう。
【００２９】
測定部２は、図３に示すように、ステージ１０と、第１線径測定手段１１と、第２線径測定手段１２とから構成されている。ステージ１０は、その外周が矩形の平板体であり、１箇所のスリット１７が設けられている。そして、ステージ１０の略中央部には、スリット１７から連設される円形の穴部１８が設けられている。この穴部１８に長尺部材Ｌが挿通されることになる。
【００３０】
第１線径測定手段１１は、一対の投光器１３と受光器１４とから構成されている。投光器１３は、ステージ１０の１つの角部に配設されて例えばＬＥＤ光を発光するものであり、これと対角線上の角部に受光器１４が配設され、投光器１３から発光された光を受光する。これにより、投光器１３から発光される光の一部は長尺部材Ｌにて遮られ、その遮られた線径である投影線径を測定することができる。第２線径測定手段１２は、一対の投光器１５と受光器１６とから構成されており、ステージ１０の１つの角部に投光器１５が配設され、投光器１５の対角線上の角部に受光器１６が配設される。そして、第１線径測定手段１１と第２線径測定手段１２とのなす角を、４５°としている。すなわち、投光器１３及び受光器１４を結ぶ直線と、投光器１５及び受光器１６を結ぶ直線とのなす角を４５°としている。これにより、第１線径測定手段１１と第２線径測定手段１２とで、長尺部材Ｌに対して周方向に沿って所定角度（本実施形態では４５°）でずれた位置からの長尺部材Ｌの夫々の投影線径を測定することができる。
【００３１】
割出手段は、例えばパーソナルコンピュータにて構成されており、第１線径測定手段１１と第２線径測定手段１２とで測定した夫々の投影線径の実測値の変位を、長尺部材Ｌの断面モデルにおける、周方向に所定角度でずれた夫々の投影線径から算出される相関関係と比較して、実測した長尺部材のねじれ角及びねじれ方向を求めるものである。断面モデルとは、測定対象となる長尺部材の断面形状と同一の断面形状をなすものをいう。
【００３２】
本発明に係るねじれ検出方法を説明する。本実施形態では長尺部材Ｌとして、卵形の異形断面形状を有するものであり、長径が約４．５ｍｍ、短径が約３．７ｍｍのばね素材（オイルテンパー線）を使用する。
【００３３】
まず、この長尺部材を、本発明のねじれ検出装置にセットする。具体的には、長尺部材Ｌの少なくとも一端部が固定されていればよく、断面モデルである長尺部材Ｌの一端部をエアチャック部４に固定する。他端部は、本実施形態では固定しないフリーの状態としているが、固定されていてもよい。ここで、断面モデルとは、測定対象となる長尺部材の断面形状と同一の断面形状をなすものをいい、本実施形態では、測定対象である長尺部材Ｌをそのまま断面モデルとしている。この場合、測定部２のステージ１０の穴部１８内に、長尺部材Ｌを挿通する。また、エアチャック部４に固定される長尺部材Ｌの向きを図４（ａ）のＡに示す向きとし、このときのねじれ角を０°とする。その後、サーボモータ５を駆動させることにより、長尺部材を１回転させ、第１線径測定手段１１及び第２線径測定手段１２の投影方向に対する長尺部材Ｌの位置を周方向に沿って相対的に変位させる。
【００３４】
これにより、第１線径測定手段１１によって、長尺部材Ｌの軸方向と直交する第１の方向から長尺部材Ｌを平行投影した影（線径）の長さである第１の投影線径の変化を、長尺部材Ｌの周方向全周にわたって求める。この場合、第１の投影線径の変化は、図４（ａ）に示すように周期的に変化する。
【００３５】
また、第２線径測定手段１２によって、長尺部材Ｌの軸方向と直交する第２の方向（つまり、第１の方向から周方向に４５°ずれた位置）から長尺部材Ｌを平行投影した影（線径）の長さである第２の投影線径の変化を、長尺部材Ｌの周方向全周にわたって求める。この場合、第２の投影線径の変化は、図４（ｂ）に示すように周期的に変化する。
【００３６】
第１の投影線径の変化と、第２の投影線径の変化とを合成したグラフを図５に示す。このように、周方向に沿ってずれた第１線径測定手段１１と第２線径測定手段１２とで夫々投影線径を求めることで、長尺部材Ｌの同一の回転角度において、２方向から所定角度（本実施形態では４５°）を持たせて投影線径を測定でき、常に第１投影線径と第２投影線径との２つのデータが得られる。そして、第１の投影線径と、第２の投影線径との対応関係を全周にわたって求め、この対応関係を、長尺部材Ｌの断面モデルにおける第１の投影線径と、これに対応する位置における第２の投影線径との相関関係とする。すなわち、図６に示すように、第１の投影線径を横軸とし、第２の投影線径を縦軸として夫々の投影線径の値を座標上にプロットしたものを相関関係とする。第１線径測定手段１１と第２線径測定手段１２とのなす角が４５°となる場合、相関関係は閉ループを形成するものとなる。
【００３７】
卵形の異形断面形状を有する長尺部材Ｌにおいて、長尺部材Ｌが半回転（１８０°）することにつき、相関関係の閉ループは１周（Ａ→Ｂ→Ｃ→Ｄ→Ａ）することになり、長尺部材Ｌが１回転（３６０°）することにつき、相関関係の閉ループは２周（Ａ→Ｂ→Ｃ→Ｄ→Ｅ→Ｆ→Ｇ→Ｈ→Ａ）することになる。このように、長尺部材Ｌの回転に応じて、第１の投影線径と第２の投影線径との関係は、この閉ループ上を移動することになる。すなわち、測定した前記第１の投影線径と第２の投影線径との関係において、前記閉ループ上の移動距離、及び移動方向を検出することにより、長尺部材のねじれ角及びねじれ方向を割り出すことができる。
【００３８】
次に、測定部２を長尺部材Ｌに沿って、長尺部材Ｌの一端部（チャック部）から他端部まで走査させる。これにより、第１の投影線径と第２の投影線径との夫々投影線径を、一つの軸方向任意位置において、前記長尺部材の全長に対して連続的に測定して、夫々の投影線径の変位を測定する。
【００３９】
そして、割出手段は、測定した夫々の投影線径の実測値の変位を、長尺部材Ｌの断面モデルにおける相関関係と比較して、実測した長尺部材Ｌのねじれ角及びねじれ方向を求める。具体的には、長尺部材Ｌの一端部においては、ねじれ角は０°であり、この場合は図６のＡの位置を示す。そして、例えば、測定した第１の投影線径と第２の投影線径との変位が、Ａから時計回りに移動して、Ｃにまで到達したとき、長尺部材Ｌは正の方向に９０°ねじれていることがわかる。また、Ｃから反時計回りにＢ、Ａ、Ｄを経由して再びＣにまで到達したとき、負の方向に１８０°ねじれていることがわかる。このように、実測した第１の投影線径と第２の投影線径との変位から、相関関係のスタート位置とエンド位置を割り出すことによって、長尺部材Ｌのねじれ角がわかる。また、相関関係において、時計回りであるか、反時計回りであるかを検出することによって、ねじれ方向がわかる。
【００４０】
ところで、第１線径測定手段１１と第２線径測定手段１２とのなす角を９０°とした場合、周方向に沿って９０°ずれた位置から長尺部材Ｌの夫々の投影線径を測定することもできる。
【００４１】
この場合、第１線径測定手段１１によって測定される第１の投影線径の変化と、第２線径測定手段１２によって測定される第２の投影線径の変化とを合成したグラフは、図７のようになる。そして、第１の投影線径と第２の投影線径との対応関係を全周にわたって求めた相関関係は図８に示すものとなる。第１線径測定手段１１と第２線径測定手段１２が９０°となる場合、相関関係は１本の弧を描くものとなり、閉ループを形成しない。このように、異形断面形状が卵形である場合は、第１線径測定手段１１と第２線径測定手段１２とが０°、９０°、１８０°、２７０°であると、第１の投影線径の変位と第２の投影線径の変位とが打ち消しあって、閉ループを形成しない。
【００４２】
この場合、ねじれ角が０°のとき、第１の投影線径と第２の投影線径との対応関係は、図８のＡの位置となる。そして、Ｃに到達した後は、ＣからＥに移動する。このように、この弧を往復移動するため、ねじれ方向を検出することができない。これにより、相関関係は、閉ループを形成するような角度とすることが望ましい。
【００４３】
本発明では、異形断面を有する長尺部材Ｌのねじれ角、及びねじれ方向を具体的な数値にて求めることができるため、長尺部材Ｌのねじれ角、及びねじれ方向をインラインで高精度に測定することができる。
【００４４】
長尺部材Ｌの周方向位置における第１の投影線径と、これに対応する位置における第２の投影線径との対応関係を、全周にわたって求めることができるため、所定角度でずれた夫々の投影線径の相関関係を正確に求めることができる。これにより、一層高精度に長尺部材Ｌのねじれ角及びねじれ方向を求めることができる。
【００４５】
前記所定角度は、前記長尺部材Ｌの断面モデルの前記相関関係を求める際に、この相関関係が閉ループを形成するような角度とすると、ねじれ角とねじれ方向とを確実に求めることができる。
【００４６】
前記閉ループ上の移動距離、及び移動方向を検出することにより、長尺部材Ｌのねじれ角及びねじれ方向を割り出すと、ねじれ角及びねじれ方向を数値化することができて、正確にねじれ角とねじれ方向とを測定することができる。
【００４７】
前記夫々の投影線径を、前記長尺部材Ｌの全長または特定範囲に対して連続的に測定すると、長尺部材Ｌの全長にわたってねじれ角及びねじれ方向を求めることができ、ねじれのばらつきを把握することができる。これにより、特定の箇所のねじれを検出することができ、高精度に長尺部材Ｌのねじれを検出することができる。
【００４８】
前記長尺部材Ｌを、ばね成形用の線材とすると、ばね成形において、基準（規格）に対するねじれのばらつきの合否を判定することができ、ばね成形したときに、ばねの高さのばらつきを抑えることができ、高品質なばねを安定して製造することができる。
【００４９】
以上、本発明の実施形態につき説明したが、本発明は前記実施形態に限定されることなく種々の変形が可能であって、例えば、異形断面形状としては、卵形に限らず、楕円形、三角形、多角形、平行四辺形等の真円形以外の種々の形状とすることができる。また、第１線径測定手段と、第２線径測定手段とのなす角は、相関関係が閉ループを形成するような角度であれば、種々の角度とすることができる。長尺部材Ｌとしても、ばね線材に限らず、リング、レール等に用いられるものでもよく、要は、ねじれが発生する長尺部材全てに適用することができる。第１線径測定手段及び第２線径測定手段は、光を投影するものを用いたが、投影線径を測定できるものであれば、これ以外の手段（例えば、接触式等種々の測定手段）にて投影線径を求めても良い。また、相関関係を求める際も、光を投影する以外の測定手段を用いても良い。また、前記実施形態では、測定を周方向に沿って離間した２つの位置から、長尺部材Ｌの２次元の相関関係を求めたが、周方向に沿って離間した３つの位置から、長尺部材Ｌの３次元の相関関係を求めることができる。また、相関関係が２次元であっても、長尺部材Ｌの実際の測定は、３つ以上の位置から測定することもできる。この場合、高精度に長尺部材Ｌのねじれ角及びねじれ方向を求めることができる。前記実施形態では、実測対象である長尺部材Ｌを断面モデルとして相関関係を作成したが、コンピュータで長尺部材Ｌと同一の断面を有する断面モデルを描き、コンピュータに描かれた断面モデルから相関関係を作成してもよい。
【符号の説明】
【００５０】
１１    第１線径測定手段
１２    第２線径測定手段
Ｌ      長尺部材
【図１】
2011007641.tif 000003
【図２】
2011007641.tif 000004
【図３】
2011007641.tif 000005
【図４】
2011007641.tif 000006
【図５】
2011007641.tif 000007
【図６】
2011007641.tif 000008
【図７】
2011007641.tif 000009
【図８】
2011007641.tif 000010